(57)【要約】【課題】  フィルタ枠を有し、フィルタホルダが落下することなく、かつアーム長が短い支持アームの付け替えを行うことなく使用可能な照明器具を提供する。【解決手段】  照明器具１は、発光ダイオード９からなる光源７が収納された器具本体２と、器具本体２の両側面２ｂ，２ｂに回転可能に固定される一対のアーム部１１，１１および一対のアーム部１１，１１を連結し、一対のアーム部１１，１１が器具本体２の両側面２ｂ，２ｂで回転したときに器具本体２に当接する連結部１２を有する支持アーム３と、光源７からの光を透過するフィルタ２９を収納しているフィルタホルダ５と、フィルタ枠２２およびフィルタ枠２２の差込口２８からフィルタホルダ５が落下しないようにフィルタホルダ５を差込口２８で支持可能に設けられた係止部材２３を有し、器具本体２の投光開口６に正対して器具本体２に配設されたバンドア４とを具備している。【選択図】図４
2013077490.tif 000002
【特許請求の範囲】
【請求項１】
一端側に投光開口が設けられ、この投光開口から放射光を出射するように発光ダイオードからなる光源を収納した器具本体と；
この器具本体の両側面に回転可能に固定される一対のアーム部およびこの一対のアーム部を連結し、前記一対のアーム部が前記器具本体の両側面で回転したときに前記器具本体に当接する連結部を有し、前記器具本体を吊り下げるようにまたは持ち上げるようにして支持する支持アームと；
前記光源からの光を透過するフィルタを収納しているフィルタホルダと；
一方向から前記フィルタホルダが差し込まれるフィルタ枠およびこのフィルタ枠の差込口から前記フィルタホルダが落下しないように前記フィルタホルダを前記差込口で支持可能に設けられた係止部材を有し、前記投光開口に正対して前記器具本体に配設されたバンドアと；
を具備していることを特徴とする照明器具。
【請求項２】
前記バンドアは、前記支持アームの前記器具本体の支持に応じて、前記フィルタ枠の差込口が前記器具本体の上方側を向くように回動されていることを特徴とする請求項１記載の照明器具。
【発明の詳細な説明】
【技術分野】
【０００１】
本発明の実施形態は、バンドアにより配光制御される照明器具に関する。
【背景技術】
【０００２】
舞台やスタジオ等の演出照明で使用されている照明器具例えばスポットライトは、ロケーション（ロケ地）による撮影などでも使用されている。このスポットライトは、スタジオ等においては、スタンドや吊りハンガー等の照明用基材に取付けられ、ロケ地においては、三脚等に取付けられている（例えば特許文献１参照。）。このようなスポットライトの多くは、その前面側に配光制御用のバンドアが設けられている。また、このようなスポットライトには、フィルタホルダを設けているものがある。
【０００３】
そして、スポットライトは、ロケ地に頻繁に持ち運びをするために、小型・軽量であることが望まれている。このため、スポットライトには、支持アームのアーム長を短くしたものがある。このスポットライトには、支持アームがスポットライトの前方および後方のいずれ側にも回転自在に回転しないものがある。
【先行技術文献】
【特許文献】
【０００４】
【特許文献１】特開２０１１−１４６２６２号公報（第４頁、第４−７図）
【発明の概要】
【発明が解決しようとする課題】
【０００５】
支持アームのアーム長を短くしたスポットライトは、ロケ地で使用した後に、例えばスタジオの吊りハンガー等に吊り下げて使用するときには、支持アームを下側方向から上側方向に付け替える必要があり、その付け替え作業が面倒であるという欠点を有する。これは、スポットライトを上下逆さまに吊り下げて使用すると、電球やソケットの取付け方向が逆になってソケット等に過度に熱くなるなどの熱的影響が発生し、また、フィルタホルダやバンドアが落下するおそれがあることによる。
【０００６】
また、支持アームのアーム長が長いロングアームのスポットライトは、小型・軽量が図れにくいという欠点を有する。
【０００７】
本実施形態は、フィルタ枠を有し、フィルタホルダが落下することなく、かつアーム長が短い支持アームの付け替えを行うことなく使用可能な照明器具を提供することを目的とする。
【課題を解決するための手段】
【０００８】
本実施形態の照明器具は、器具本体、支持アーム、フィルタホルダおよびバンドアを有して構成される。
【０００９】
器具本体は、一端側に投光開口が設けられているとともに、発光ダイオードからなる光源を収納している。光源は、投光開口から放射光を出射するように器具本体内に設けられている。
【００１０】
支持アームは、一対のアーム部および連結部を有して形成され、器具本体を吊り下げるようにまたは持ち上げるようにして支持する。一対のアーム部は、器具本体の両側面に回転可能に固定される。連結部は、一対のアーム部を連結していて、一対のアーム部が器具本体の両側面で回転したときに器具本体に当接する。
【００１１】
フィルタホルダは、光源からの光を透過するフィルタを収納している。
【００１２】
バンドアは、器具本体の投光開口に正対して器具本体に配設されている。そして、バンドアは、フィルタ枠および係止部材を有するように形成されている。フィルタ枠は、一方向からフィルタホルダが差し込まれ、フィルタホルダを保持するものである。係止部材は、フィルタ枠の差込口からフィルタホルダが落下しないようにフィルタホルダを差込口で支持可能に設けられている。
【発明の効果】
【００１３】
本発明の実施形態によれば、器具本体が支持アームにより吊り下げられるようにまたは持ち上げられるようにして上下逆さまにされても、光源は発光ダイオードからなるので、光源に熱的影響が発生しにくくなり、フィルタ枠の差込口でフィルタホルダがバンドアの係止部材により係止されるので、フィルタ枠の差込口からフィルタホルダが落下しなくなり、これにより、支持アームのアーム部のアーム長を短くすることができて、照明器具を小型、軽量にできることが期待できる。
【図面の簡単な説明】
【００１４】
【図１】本発明の実施形態を示す吊りハンガーに取付けられた照明器具の概略側面図である。
【図２】同じく、三脚に取付けられた照明器具の概略側面図である。
【図３】同じく、照明器具の概略正面図である。
【図４】同じく、照明器具の一部概略上面図である。
【発明を実施するための形態】
【００１５】
以下、本発明の一実施の形態について、図面を参照して説明する。
本実施形態の照明器具１は、図１ないし図４に示すように構成されている。図１において、照明器具１は、スポットライトに構成され、器具本体２、支持アーム３、バンドア４およびフィルタホルダ５を備えている。
【００１６】
器具本体２は、アルミニウム合金板からなり、略四角筒状に形成され、長手方向の一端側２ａの端面に円形状の投光開口６が設けられ、一端側２ａの内部に光源７を収納している。光源７は、基板８およびこの基板８に実装された複数個の発光ダイオード９からなり、投光開口６から発光ダイオード９の放射光が出射されるように投光開口６に対向して設けられている。発光ダイオード９は、図３に示すように、基板８に上下対称に実装されている。発光ダイオード９は、所定の色光を放射するように形成されている。
【００１７】
図１において、支持アーム３は、器具本体２の長手方向中央側の両側面２ｂ，２ｂ（図中、一方のみを示す。）にそれぞれ取付けねじ１０により回転可能に固定されている。支持アーム３は、例えばアルミニウム合金からなり、一対のアーム部１１，１１（図中、一方のみを示す。）およびこの一対のアーム部１１，１１を連結している連結部１２を有する略コ字形に形成されている。
【００１８】
一対のアーム部１１，１１は、器具本体２の両側面２ｂ，２ｂにそれぞれ取付けねじ１０により回転可能に固定されている。すなわち、一対のアーム部１１，１１は、取付けねじ１０を緩めることにより器具本体２の両側面２ｂ，２ｂで回転でき、取付けねじ１０を完全に締め付けることにより器具本体２の両側面２ｂ，２ｂに強固に固定される。一対のアーム部１１，１１は、器具本体２の両側面２ｂ，２ｂで回転したときに連結部１２が器具本体２に当接するように、取付けねじ１０から連結部１２までの全長が設定されている。すなわち、器具本体２は、一対のアーム部１１，１１で囲まれる内側で３６０°回転することができなく、その回転範囲が規制される。
【００１９】
そして、連結部１２の長手方向中央部には、所定長の略柱状の凸部１３が設けられている。この凸部１３は、器具本体２の短手方向中央部の上方に位置している。そして、凸部１３にハンガー１４が嵌め込まれて、ハンガー１４にねじ込まれたねじ１５が凸部１３に押し当てられている。これにより、支持アーム３には、ハンガー１４が取り付けられている。
【００２０】
そして、ハンガー１４は、スタジオ等に配設されているバトン１６に引っ掛けられて、長形のねじ１７とともにバトン１６を挟持している。これにより、ハンガー１４は、バトン１６に支持されている。すなわち、支持アーム３は、ハンガー１４を介してバトン１６に取り付けられており、器具本体２を吊り下げるようにして支持している。
【００２１】
また、図２において、支持アーム３は、その凸部１３に三脚１８の起立棒１９が嵌め込まれている。そして、支持アーム３は、起立棒１９にねじ込まれたねじ２０が凸部１３に押し当てられて、三脚１８に取り付けられている。このとき、器具本体２は、図１の吊り下げられたときとは逆さまになって取り付けられている。支持アーム３は、器具本体２を持ち上げるようにして支持している。
【００２２】
バンドア４は、図４に示すように、バンドア本体２１、フィルタ枠２２、係止部材２３および羽２４ａ，２４ｂを有して形成され、器具本体２の一端側２ａに取り付けられている。
【００２３】
バンドア本体２１は、器具本体２の長手方向に所定の幅を有する円筒体に形成されている。そして、器具本体２の前面側に設けられている取付け体２５に取り付けられている。取付け体２５は、バンドア本体２１と同様、円筒体（リング体）に形成されている。バンドア本体２１は、取付け体２５の周回に略９０°（又は１８０°）間隔で、４個（又は２個）の取付け爪２６により取り付けられている。
【００２４】
取付け爪２６は、所定幅を有し、ねじ２７を一体に設けている。ねじ２７をバンドア本体２１の図示しないねじ孔に完全にねじ込むことにより、取付け爪２６がバンドア本体２１および取付け体２５に密接する。このとき、バンドア本体２１は、取付け体２５に密接して固定されるとともに、投光開口６に正対する。そして、ねじ２７を緩めると、取付け爪２６がバンドア本体２１および取付け体２５のそれぞれの密接から離れてがたつくようになる。そして、４個のねじ２７を緩めることにより、バンドア本体２１は、取付け体２５および投光開口６の周回方向に回動可能となる。
【００２５】
バンドア本体２１は、４個のねじ２７をある程度緩めることにより、取付け爪２６が取付け体２５から完全に離れるようになり、取付け体２５から取り外すことができる。こうして、バンドア本体２１は、器具本体２の投光開口６に周回方向に回動可能となるように投光開口６に正対して器具本体２に配設されている。
【００２６】
フィルタ枠２２は、バンドア本体２１の前面側に設けられている。そして、フィルタ枠２２は、一方向からフィルタホルダ５が差し込まれる差込口２８を有するとともに、フィルタホルダ５を保持可能な正四角形の枠体に形成されている。
【００２７】
フィルタホルダ５は、フィルタ２９を収納するとともに、差込口２８からフィルタ枠２２内に差し込まれてフィルタ枠２２に保持される正四角形の枠体に形成されている。フィルタ２９は、器具本体２の投光開口６から出射される光源７の放射光を透過するものであり、その透過によって放射光の色光を可変するものや放射光の配光を可変するものである。
【００２８】
係止部材２３は、フィルタ枠２２差込口２８側のバンドア本体２１に設けられている。係止部材２３は、略平板状に形成され、ねじ３０を一体に取付けている。ねじ３０は、バンドア本体２１の図示しないねじ孔にねじ込まれている。係止部材２３は、ねじ２９を完全にねじ込むことによりバンドア本体２１に固定され、ねじ３０を緩めることによりねじ３０の周回方向で回動可能となっている。
【００２９】
そして、係止部材２３は、フィルタ枠２２の差込口２８に位置するように固定されている。係止部材２３は、フィルタ枠２２の差込口２８でフィルタ枠２２に差し込まれたフィルタホルダ５を押し当てている。これにより、差込口２８が器具本体２の下方側を向いているときには、差込口２８からフィルタホルダ５が落下しないようにフィルタホルダ５を支持し、差込口２８が器具本体２の側方側を向いているときには、差込口２８からフィルタホルダ５が飛び出さないようにフィルタホルダ５を支持している。
【００３０】
そして、羽２４ａ，２４ｂは、ねじ３１，３１等により、フィルタ枠２２の前面側に取付けられている。図３において、羽２４ａは、矩形状の平板に形成されて、フィルタ枠２２の図中上下の位置に取り付けられている。また、羽２４ｂは、先細り状の平板に形成され、フィルタ枠２２の図中左右の位置に取り付けられている。各羽２４ａ，２４ｂを展開してバンドア４の先端側の開口面積を調整することにより、光源７の放射光の照射範囲を可変できるようにしている。
【００３１】
次に、本実施形態の作用について述べる。
【００３２】
照明器具１は、例えばスタジオ等で吊り下げて使用するときには、図１に示すように、支持アーム３の連結部１２の凸部１３にハンガー１４を取り付けて、当該ハンガー１４をバトン１６等に引っ掛ける。また、例えばロケ地で持ち上げて使用するときには、連結部１２の凸部１３を例えば三脚１８の起立棒１９に嵌め込み、固定して、三脚１８に取り付ける。
【００３３】
器具本体２は、支持アーム３の一対のアーム部１１，１１を固定している取付けねじ１０，１０を緩めることにより、連結部１２が器具本体２に当接する範囲において、取付けねじ１０，１０を回転軸として回転することができる。これにより、器具本体２の投光開口６から出射される光源７の放射光の照射方向を上下方向に可変することができる。
【００３４】
また、器具本体２の取付け体２５にバンドア４を固定している４個の取付け爪２６のねじ２７を緩めることにより、バンドア４を投光開口６の周回方向に回動させることができる。この回動によって、投光開口６から出射する光源７の放射光の配光が可変される。
【００３５】
そして、器具本体２は、支持アーム３により、吊り下げから持ち上げられるように支持されるとき、または持ち上げから吊り下げられるようにして支持されるときには、その上下が逆さまになる。器具本体２に収納されている光源７は、発熱量が比較的小さい発光ダイオード９からなり、投光開口６に正対するように設けられているので、器具本体２が上下逆さまになっても、部分的に温度上昇するなどの熱的影響が発生しにくい。また、発光ダイオード９は、基板８に上下方向に対称となるように実装されているので、器具本体２が上下逆さまになることによる配光の変化は小さい。
【００３６】
器具本体２が上下逆さまになると、バンドア４のフィルタ枠２２の差込口２８が器具本体２の下方側を向くようになることがある。このとき、フィルタ枠２２に差し込まれたフィルタホルダ５は、差込口２８で係止部材２８により支持されるので、差込口２８から落下しなくなる。また、フィルタ枠２２の差込口２８が器具本体２の側方側を向いても、フィルタホルダ５は、差込口２８で係止部材２８により押し当てられて支持されるので、差込口２８から飛び出すことなく、フィルタ枠２２内に保持される。
【００３７】
そして、器具本体２が支持アーム３により吊り下げられまたは持ち上げられるように支持されたことにより、フィルタ枠２２の差込口２８が器具本体２の下方側を向くときには、差込口２８が器具本体２の上方側を向くように、バンドア４を投光開口６の周回方向に回動させることができる。これにより、フィルタホルダ５がフィルタ枠２２内に保持される信頼性や安心感などが向上する。
【００３８】
本実施形態の照明器具１によれば、器具本体２が支持アーム３により吊り下げられるようにまたは持ち上げられるようにして上下逆さまにされても、光源７は発光ダイオード９からなるので、光源７に熱的影響が発生しにくくなり、フィルタ枠２２の差込口２８でフィルタホルダ５がバンドア４の係止部材２８により支持されるので、フィルタ枠２２の差込口２８からフィルタホルダ５が落下しなくなり、これにより、支持アーム３の一対のアーム部１１，１１のアーム長を短くすることができて、照明器具１を小型、軽量にできるという効果を有する。
【００３９】
また、バンドア４は、支持アーム３による器具本体２の吊り下げまたは持ち上げの支持に応じて、フィルタ枠２２の差込口２８が器具本体２の上方側をむくように回動されることにより、フィルタホルダ５をフィルタ枠２２内に信頼性や安心感などを持たせて保持できるという効果を有する。
【符号の説明】
【００４０】
１…照明器具、  ２…器具本体、  ３…支持アーム、  ４…バンドア、５…フィルタホルダ、  ６…投光開口、  ７…光源、  １１，１１…一対のアーム部、  １２…連結部、  ２３…係止部材、  ２８…差込口、  ２９…フィルタ
【図１】
2013077490.tif 000003
【図２】
2013077490.tif 000004
【図３】
2013077490.tif 000005
【図４】
2013077490.tif 000006